(57)【要約】【課題】引戸の閉動時又は開動時に発する衝撃音が緩和され、静寂を保って引戸の閉動又は開動を制動することができる引戸装置を提供する。【解決手段】開かれた引戸１から手を離すことによってレール１１に吊り下げられた引戸１がレール１１に沿って自動的に閉動するように構成し、引戸１の上端に、回転自在な軸体２７が突出され、この軸体２７の所定方向の回転動作を逆方向の回転動作に比べて制動させる油の流れ抵抗を利用した制動装置１６を取り付け、この制動装置１６の軸体２７にピニオン２８を設け、前記レール１１に沿って戸先に近い位置に取り付けられた閉動制動用ラック２９にピニオン２８を噛合させて、引戸１の閉動時に前記ラック２９とピニオン２８の噛合により前記軸体２７を前記所定方向に回転させることによって引戸１に制動力を与えるように構成した引戸装置において、引戸１の閉動時に前記ピニオン２８が噛合し始める前記ラック２９の端部に位置する歯２９ｃに可撓性薄片３２を設け、ピニオン２８とラック２９の噛合し始めの衝撃音を緩和するようにした。【選択図】　図３
2004052297.tif 000002
【特許請求の範囲】
【請求項１】
開かれた引戸から手を離すことによってレールに吊り下げられた引戸がレールに沿って自動的に閉動するように構成し、引戸の上端に、所定方向の回転動作を逆方向の回転動作に比べて制動させる制動装置を介してピニオンを取り付け、前記レールに沿って戸先に近い位置に取り付けられたラックに前記ピニオンを噛合させて、引戸の閉動時にラックとピニオンの噛合によりピニオンを前記所定方向に回転させることによって引戸に制動力を与えるように構成した引戸装置において、
引戸の閉動時に前記ピニオンが噛合し始めるラックの端部に位置する歯に可撓性薄片を設け、ピニオンとラックの噛合し始めの衝撃音を緩和するようにした
ことを特徴とする引戸装置。
【請求項２】
閉じられた引戸を手動によってレールに吊り下げられた引戸がレールに沿って開動するように構成し、引戸の上端に、所定方向の回転動作を逆方向の回転動作に比べて制動させる制動装置を介してピニオンを取り付け、前記レールに沿って戸尻に近い位置に取り付けられたラックに前記ピニオンを噛合させて、引戸の開動時にラックとピニオンの噛合によりピニオンを前記所定方向に回転させることによって引戸に制動力を与えるように構成した引戸装置において、
引戸の開動時に前記ピニオンが噛合し始めるラックの端部に位置する歯に可撓性薄片を設け、ピニオンとラックの噛合し始めの衝撃音を緩和するようにした
ことを特徴とする引戸装置。
【発明の詳細な説明】
【０００１】
【発明の属する技術分野】
本発明は、引戸装置に関するものである。
【０００２】
【従来の技術】
従来、自閉式の引戸において、引戸の閉動動作を制動するために、引戸側に油の流れ抵抗を利用した制動装置を取り付けるとともに、制動装置から水平に突出する回転自在な軸体にピニオンを設け、上枠側にはピニオンと噛合するラックを取り付け、ラックにピニオンを噛合させて、引戸の閉動時にラックとピニオンの噛合により軸体を回転させることによって引戸に制動力を与えるようにした引戸装置が知られている。また、引戸の開動動作を制動するために、同様な制動装置、ピニオン及びラックから構成され、引戸の開動時にラックとピニオンの噛合により軸体を回転させることによって引戸に制動力を与えるようにした引戸装置も知られている。
【０００３】
【発明が解決しようとする課題】
しかし、前記引戸装置では、引戸の閉動時においてピニオンがラックに噛合し始めるときに衝撃音を発するという問題があり、また、引戸の閉動時ほどではないにしても引戸の開動時においても同様の問題があり、特に病院、高齢者住居などの静寂が要求される屋内においてはその改善が望まれていた。
【０００４】
そこで、本発明は前記問題点を解決するものであって、引戸の閉動時又は開動時に発する衝撃音が緩和され、静寂を保って引戸の閉動又は開動を制動することができる引戸装置を提供することを課題とするものである。
【０００５】
【課題を解決するための手段】
前記問題点を解決するために、本発明の引戸装置は、開かれた引戸から手を離すことによってレールに吊り下げられた引戸がレールに沿って自動的に閉動するように構成し、引戸の上端に、所定方向の回転動作を逆方向の回転動作に比べて制動させる制動装置を介してピニオンを取り付け、前記レールに沿って戸先に近い位置に取り付けられたラックに前記ピニオンを噛合させて、引戸の閉動時にラックとピニオンの噛合によりピニオンを前記所定方向に回転させることによって引戸に制動力を与えるように構成した引戸装置において、引戸の閉動時に前記ピニオンが噛合し始めるラックの端部に位置する歯に可撓性薄片を設け、ピニオンとラックの噛合し始めの衝撃音を緩和するようにしたことを特徴とするものである。
【０００６】
前記構成によれば、引戸の閉動時にピニオンが噛合し始めるラックの端部に位置する歯に可撓性薄片を設けたので、可撓性薄片が変形することにより、ピニオンとラックの噛合し始めの衝撃音が緩和され、静寂を保って引戸の閉動を制動することができる。また、可撓性薄片が変形するため、可撓性薄片を設けたにも拘わらずピニオンとラックとを円滑に噛合させることができる。
【０００７】
また、請求項２に記載の発明は、閉じられた引戸を手動によってレールに吊り下げられた引戸がレールに沿って開動するように構成し、引戸の上端に、所定方向の回転動作を逆方向の回転動作に比べて制動させる制動装置を介してピニオンを取り付け、前記レールに沿って戸尻に近い位置に取り付けられたラックに前記ピニオンを噛合させて、引戸の開動時にラックとピニオンの噛合によりピニオンを前記所定方向に回転させることによって引戸に制動力を与えるように構成した引戸装置において、引戸の開動時に前記ピニオンが噛合し始めるラックの端部に位置する歯に可撓性薄片を設け、ピニオンとラックの噛合し始めの衝撃音を緩和するようにしたことを特徴とするものである。
【０００８】
前記構成によれば、引戸の開動時にピニオンが噛合し始めるラックの端部に位置する歯に可撓性薄片を設けたので、可撓性薄片が変形することにより、ピニオンとラックの噛合し始めの衝撃音が緩和され、静寂を保って引戸の開動を制動することができる。また、可撓性薄片が変形するため、可撓性薄片を設けたにも拘わらずピニオンとラックとを円滑に噛合させることができる。
【０００９】
【発明の実施の形態】
以下、本発明の実施の形態における引戸装置を添付図面に基づいて説明する。図１〜図３において、１は引戸であって、屋内の出入り口などの所定位置に設けられている上枠２、戸先側竪枠３、戸尻側竪枠４及床部５で形成された開口部に設けられている。
【００１０】
引戸１の上端の戸先寄り及び戸尻寄りの所定箇所にはそれぞれ上方に延設されたブラケット６、７を介して戸車８、９が回転自在に支持されている。
また、上枠２には、戸先側に少し傾斜する姿勢で断面略Ｌ字状の傾斜フレーム１０が固定され、この傾斜フレーム１０に形成されたレール１１上に戸車８、９が転動自在に載置されている。したがって、傾斜されたレール１１上を戸車８、９が引戸１の自重で戸先側に転動することにより、引戸１が自動的に閉動する。
【００１１】
床部５には引戸１を開閉方向にガイドするガイドローラ１２が立設されている。また、戸尻寄りのブラケット７には、傾斜フレーム１０の戸尻寄りに設けられたストッパー１３と係合するストッパーローラ１４が取り付けられている。なお、上枠２の前面側には点検用カバー１５が設けられている。
【００１２】
戸先寄りのブラケット６には制動装置１６が取り付けられている。この制動装置１６は、図４〜図６に示すように、油が封入される密閉流路１７が形成されているケース本体１８と、このケース本体１８に取り付けられた蓋体１９と、ポンプ室２０内に第１、第２の歯車２１、２２が配置されて構成された歯車ポンプ２３と、一方向のみに油を通過させる逆止弁２４と、外部に露出している調整軸部２５ａを回動させることにより油の流量を調整可能な流量調節弁２５とが設けられている。
【００１３】
そして、第１の歯車２１が固定されている軸体２７がケース本体１８の背面側から水平に突出されており、この軸体２７の突出部分にピニオン２８が固定されている。このピニオン２８は金属又は硬質合成樹脂などから形成されている。
【００１４】
図４に示すように、制動装置１６の密閉流路１７は、第１、第２の歯車２１、２２の噛合箇所に連通する第１、第２の連通通路１７ａ、１７ｂと、これら第１、第２の連通通路１７ａ、１７ｂと逆止弁２４との間を連通させる第１、第２の主通路１７ｃ、１７ｄと、第１、第２の連通通路１７ａ、１７ｂと流量調整弁２５の先端が嵌入されて第１、第２の副通路１７ｅ、１７ｆ同士を連通させる調整用連通通路１７ｇとからなっており、第１、第２の連通通路１７ａ、１７ｂが第１、第２の主通路１７ｃ、１７ｄと第１、第２の副通路１７ｅ、１７ｆに分岐されている。
【００１５】
そして、第１又は第２の主通路１７ｃ、１７ｄより送り出される油が逆止弁２４を通して一方向のみに規制されると同時に、第１又は第２の副通路１７ｅ、１７ｆから送り出される油が調整用連通通路１７ｇを介して予め流量調整弁２５により調整された流量分だけ流れて循環するようになっている。
【００１６】
また、逆止弁２４は、調整室２４ａにフロート球２４ｂが保持されており、これにより下部側の主通路１７ｄから上部側の主通路１７ｃへの油の流れが規制されるため、第１の歯車２１、軸体２７及びピニオン２８がａ方向に回転する際に油の流れ抵抗で制動されるようになっている。
【００１７】
なお、上部側の第１の主通路１７ｃから下部側の第２の主通路１７ｄへの油の流れは逆止弁２４にて規制されないため、第１の歯車２１、軸体２７及びピニオン２８がｂ方向に回転する際には油の流れ抵抗をあまり受けず、第１の歯車２１、軸体２７及びピニオン２８はｂ方向に制動されることなく軽快に回転する。
【００１８】
さらに、図１、図３に示すように、傾斜フレーム１０の下面部上における戸先寄り箇所には上方に向けて歯面が設けられている閉動制動用ラック２９が取り付けられ、引戸１が完全に閉じられる前の所定範囲位置で閉動制動用ラック２９にピニオン２８が噛合するようになっている。
【００１９】
したがって、閉動制動用ラック２９にピニオン２８が噛合した状態では、引戸１を閉じる方向（ｃ方向）に移動しようとすると、ピニオン２８がａ方向に回転するためにこの閉動動作が制動される一方、引戸１を開く方向（ｄ方向）に移動させようとすると、ピニオン２８がｂ方向に回転するためにこの開動動作を軽快に行うことができる。
【００２０】
また、図１に示すように、傾斜フレーム１０の戸尻寄り箇所の上部には断面逆Ｌ字状の補助フレーム３０が取り付けられるとともに、この補助フレーム３０にはその歯面が下方に向くように開動制動用ラック３１が取り付けられ、引戸１が完全に開かれる前の所定範囲位置で開動制動用ラック３１にピニオン２８が噛合するようになっている。したがって、開動制動用ラック３１にピニオン２８が噛合した状態では、引戸１を開く方向（ｄ方向）に移動しようとすると、ピニオン２８がａ方向に回転するためにこの開動動作が規制される一方、引戸１を閉じる方向（ｃ方向）に移動しようとすると、ピニオン２８がｂ方向に回転するためこの閉動動作を軽快に行うことができる。
【００２１】
そして、前記閉動制動用ラック２９は、図３、図７に示すように、戸先寄りのラック部材２９ａと、戸尻寄りのラック部材２９ｂとから形成されている。戸先寄りのラック部材２９ａはナイロン樹脂などの硬質合成樹脂から形成され、戸尻寄りのラック部材２９ｂはウレタンゴムなどの弾性材料から形成されている。そして、引戸１の閉動時にピニオン２８が噛合し始める戸尻寄りのラック部材２９ｂの端部に位置する歯２９ｃには、図９に示すように、歯２９ｃの両側面からそれぞれ上方に突出した一対の可撓性薄片３２が歯２９ｃと一体に形成されている。
【００２２】
このように、引戸１の閉動時にピニオン２８が噛合し始める戸尻寄りのラック部材２９ｂの端部に位置する歯２９ｃに可撓性薄片３２を設けることにより、図１０に示すように、ピニオン２８が閉動制動用ラック２９に噛合し始めるときに、ピニオン２８が歯２９ｃに当接することによる衝撃が可撓性薄片３２の変形により吸収され、衝撃音が緩和されてピニオン２８が閉動制動用ラック２９に噛合される。
【００２３】
また、前記開動制動用ラック３１は、図８に示すように、戸尻寄りのラック部材３１ａと、戸先寄りのラック部材３１ｂとから形成されている。戸尻寄りのラック部材３１ａはナイロン樹脂などの硬質合成樹脂から形成され、戸先寄りのラック部材３１ｂはウレタンゴムなどの弾性材料から形成されている。そして、引戸１の開動時にピニオン２８が噛合し始める戸先寄りのラック部材３１ｂの端部に位置する歯３１ｃには、閉動制動用ラック２９と同様に、歯３１ｃの両側面からそれぞれ上方に突出した一対の可撓性薄片３２が歯３１ｃと一体に形成されている。
【００２４】
このように、引戸１の開動時にピニオン２８が噛合し始める戸先寄りのラック部材３１ｂの端部に位置する歯３１ｃに可撓性薄片３２を設けることにより、閉動制動用ラック２９と同様に、ピニオン２８が閉動制動用ラック３１に噛合し始めるときに、ピニオン２８が歯３１ｃに当接することによる衝撃が可撓性薄片３２の変形により吸収され、衝撃音が緩和されてピニオン２８が開動制動用ラック３１に噛合される。
【００２５】
前記構成において、開かれた引戸１から手を離すことにより、傾斜されたレール１１上を戸車８、９が引戸１の自重で戸先側に転動することにより引戸１が自動的に閉動し、制動装置１６の軸体２７に設けたピニオン２８が閉動制動用ラック２９と噛合して引戸１の閉動動作が制動される。その際に、前記のように、ピニオン２８が閉動制動用ラック２９に噛合し始めるときに、ピニオン２８が歯２９ｃに当接することによる衝撃が可撓性薄片３２の変形により吸収され、衝撃音が緩和されてピニオン２８が閉動制動用ラック２９に噛合され、静寂を保って引戸１の閉動を制動することができる。また、可撓性薄片３２が変形するため、可撓性薄片３２を設けたにも拘わらずピニオン２８と閉動制動用ラック２９とを円滑に噛合させることができる。
【００２６】
そして、閉じられた引戸を手動によって開くときには、傾斜されたレール１１上を戸車８、９が手動で戸尻側に転動されることにより引戸１が開動し、制動装置１６の軸体２７に設けたピニオン２８が開動制動用ラック３１と噛合して引戸１の開動動作が制動される。その際に、ピニオン２８が開動制動用ラック３１に噛合し始めるときに、ピニオン２８が歯３１ｃに当接することによる衝撃が可撓性薄片３２の変形により吸収され、衝撃音が緩和されてピニオン２８が開動制動用ラック３１に噛合され、前記と同様に、静寂を保って引戸１の開動を制動することができる。また、可撓性薄片３２が変形するため、前記と同様に、可撓性薄片３２を設けたにも拘わらずピニオン２８と開動制動用ラック３１とを円滑に噛合させることができる。
【００２７】
本実施の形態では、一対の可撓性薄片３２を歯２９ｃの両側面からそれぞれ上方に突出するように設けた例を示したが、図１１に示すように、歯２９ｃの上部中央から上方に突出するように１つの可撓性薄片３２を設けてもよく、また、図１２に示すように、歯２９ｃの両側面からそれぞれ上方に突出した一対の可撓性薄片３２を設けるとともに、歯２９ｃの上部中央から上方に突出する１つの可撓性薄片３２を設けるようにしてもよい。さらに、図１３に示すように、歯２９ｃの上部にその幅方向に沿って可撓性薄片３２を設けるようにしてもよい。また、歯３１ｃに可撓性薄片３２を設ける場合も、前記と同様の構成にすることができる。これらいずれの場合にも前記実施の形態と同様の効果が得られる。
【００２８】
また、前記実施の形態では、可撓性薄片３２を歯２９ｃ又は３１ｃと一体に形成したが、可撓性薄片３２を別に形成しておいて、これを歯２９ｃ又は３１ｃに接合するようにしてもよい。
【００２９】
また、前記実施の形態では、閉動制動用ラック２９又は開動制動用ラック３１をそれぞれラック部材２９ａと２９ｂ又はラック部材３１ａと３１ｂから形成したが、閉動制動用ラック２９又は開動制動用ラック３１はそれぞれラック部材２９ａ又はラック部材３１ａのみから形成し、これらの端部の歯に前記可撓性薄片３２を設けるようにしてもよい。
【００３０】
また、前記実施の形態では、閉動制動用ラック２９及び開動制動用ラック３１の両者に可撓性薄片３２を設けたが、可撓性薄片３２は、閉動制動用ラック２９又は開動制動用ラック３１のいずれか一方のみに設けることもでき、少なくとも閉動制動用ラック２９には設けることが好ましい。
【００３１】
さらに、前記実施の形態では、右開きの引戸１を示したが、左開きの引戸にも対応することができることは勿論である。
また、前記閉動制動用ラック２９及び開動制動用ラック３１の両端に位置する歯にそれぞれ可撓性薄片３２を設けておけば、右開きの引戸と左開きの引戸の両方に対応することができる。
【００３２】
さらに、前記制動装置１６は、油の流れ抵抗を利用するものの他、油の粘性を利用するもの、摩擦抵抗を利用するもの、ワンウェイクラッチを利用するものなどでもよい。
【００３３】
さらにまた、前記実施の形態では、引戸１を傾斜したレール１１に沿って自動的に閉動する例を示したが、引戸１を自動的に閉動させるには、ぜんまいばねを利用したものなどを用いることもできる。
【００３４】
【発明の効果】
以上述べたように本発明の引戸装置によれば、引戸の閉動時にピニオンが噛合し始めるラックの端部に位置する歯に可撓性薄片を設けたので、可撓性薄片が変形することにより、ピニオンとラックの噛合し始めの衝撃音が緩和され、静寂を保って引戸の閉動を制動することができる。また、可撓性薄片が変形するため、可撓性薄片を設けたにも拘わらずピニオンとラックとを円滑に噛合させることができる。
【００３５】
また、請求項２に記載の発明によれば、引戸の開動時に前記ピニオンが噛合し始めるラックの端部に位置する歯に可撓性薄片を設けたので、可撓性薄片が変形することにより、ピニオンとラックの噛合し始めの衝撃音が緩和され、静寂を保って引戸の開動を制動することができる。また、可撓性薄片が変形するため、可撓性薄片を設けたにも拘わらずピニオンとラックとを円滑に噛合させることができる。
【図面の簡単な説明】
【図１】本発明の一実施の形態における引戸装置の全体構成を示す正面図である。
【図２】同引戸装置の要部を示す側面図である。
【図３】同引戸装置の制動装置、ピニオン及び閉動制動用ラックの配置状態を示す正面図である。
【図４】同引戸装置の制動装置における蓋体を外した状態を示す正面図である。
【図５】同制動装置の背面図である。
【図６】同制動装置の平面図である。
【図７】ピニオンの当接状態を示す説明図である。
【図８】同引戸装置における開動制動用ラックの配置状態及びピニオンの当接状態を示す説明図である。
【図９】可撓性薄片の一例を示し、（ａ）はその正面図、（ｂ）はその側面図である。
【図１０】可撓性薄片の作用状態を示し、（ａ）はその正面図、（ｂ）はその側面図である。
【図１１】可撓性薄片の他例を示し、（ａ）はその正面図、（ｂ）はその側面図である。
【図１２】可撓性薄片の他例を示し、（ａ）はその正面図、（ｂ）はその側面図である。
【図１３】可撓性薄片の他例を示し、（ａ）はその正面図、（ｂ）はその側面図である。
【符号の説明】
１　　引戸
２　　上枠
３　　戸先側竪枠
４　　戸尻側竪枠
５　　床部
６、７　ブラケット
８、９　戸車
１０　フレーム
１１　レール
１２　ガイドローラ
１３　ストッパー
１４　ストッパーローラ
１５　点検用カバー
１６　制動装置
１７　密閉流路
１７ａ　第１の連通通路
１７ｂ　第２の連通通路
１７ｃ　第１の主通路
１７ｄ　第２の主通路
１７ｅ　第１の副通路
１７ｆ　第２の副通路
１７ｇ　調整用連通通路
１８　ケース本体
１９　蓋部
２０　ポンプ室
２１　第１の歯車
２２　第２の歯車
２３　歯車ポンプ
２４　逆止弁
２４ａ　調整室
２４ｂ　フロート球
２５　流量調整弁
２５ａ　調整軸部
２７　軸体
２８　ピニオン
２９　閉動制動用ラック
２９ａ　戸先寄りのラック部材
２９ｂ　戸尻寄りのラック部材
２９ｃ　歯
３０　補助フレーム
３１　開動制動用ラック
３１ａ　戸尻寄りのラック部材
３１ｂ　戸先寄りのラック部材
３１ｃ　歯
３２　可撓性薄片
【図１】
2004052297.tif 000003
【図２】
2004052297.tif 000004
【図３】
2004052297.tif 000005
【図４】
2004052297.tif 000006
【図５】
2004052297.tif 000007
【図６】
2004052297.tif 000008
【図７】
2004052297.tif 000009
【図８】
2004052297.tif 000010
【図９】
2004052297.tif 000011
【図１０】
2004052297.tif 000012
【図１１】
2004052297.tif 000013
【図１２】
2004052297.tif 000014
【図１３】
2004052297.tif 000015